(57)【特許請求の範囲】
【請求項１】
胴部１上端から肩部２を介して小径部３を起立すると共に、胴部上端外面に凹凸いずれかの、ないし凹部と凸部とを上下に連続する第１係合突条４を周設した容器体Ａと、
上記小径部３外面へ螺合させたキャップＢと、
上記キャップを覆合して周壁下端から下外方へ拡開突設した複数の弾性片７下端を、上記容器体Ａの肩部２上面へ載置させた有頂カバー筒Ｃと、
上記第１係合条４に抜出し不能に嵌合させた第２係合条８を筒部内面に有し、該筒部上端から内方へ突設した内方張出し筒部内端10を、上記カバー筒Ｃの下端面外面へ当接させた封止筒Ｄとを有する
ことを特徴とするバージンシール付き容器。
【発明の詳細な説明】
【０００１】
【発明の属する技術分野】
本発明は化粧品等を収容するバージンシール付き容器に関する。
【０００２】
【従来の技術】
周知のようにバージンシール機能は商品流通過程において無断開口防止のために付与されるもので、この種のバージンシール付き容器として、例えば実開平６−８７２６２号が示すように、胴部上端から肩部を介して口頸部を起立し、口頸部の下部外面に溝部を周設した容器本体と、口頸部の上面開口を閉塞する頂壁下面から内周壁を、かつ、その頂壁周縁から外周壁を、それぞれ垂設して、内周壁を口頸部外面へ螺合させたキャップと、外周壁内面へ嵌合させた円筒部の下部内面に破断片を介して嵌合環部を付設して、嵌合環部の内周部を溝部内へ回動不能に嵌着させ、また、複数割溝の縦設により円筒部を複数の彎曲板に分割して、それ等彎曲板の外面一部をキャップ外方からの可視部とした封緘部材とからなり、キャップ頂壁の下面外周部と各彎曲板の上端面とに、キャップ弛め方向で相互に噛み合う第１、第２鋸歯状突部をそれぞれ付設したものがある。
【０００３】
【発明が解決しようとする課題】
上記従来例は、容器体口頸部外面とキャップ内面との間に封緘部材を装着する構成であるため、キャップを２重筒にし、口頸部に封緘部材を嵌着するための溝を形成し、さらには開蓋時においてキャップの弛めにより封緘部材が破断する構成を採用する必要があることから、これらの構造が複雑にならざるを得ずコスト高となっていた。
請求項１記載の発明は、キャップの外側にカバー筒を設け、該カバー筒周壁下端から複数の弾性片を下外方へ拡開突設し、カバー筒下端を封止筒で覆うことにより、構成簡素にして他物と接触等してもカバー筒が容易に破損せず、かつ取り外ししたカバー筒の再度の挿入を不可能にしてバージンシールの機能が損なわれないようにするものである。
【０００４】
【課題を解決するための手段】
第１の手段として、胴部１上端から肩部２を介して小径部３を起立すると共に、胴部上端外面に凹凸いずれかの、ないし凹部と凸部とを上下に連続する第１係合突条４を周設した容器体Ａと、
上記小径部３外面へ螺合させたキャップＢと、
上記キャップを覆合して周壁下端から下外方へ拡開突設した複数の弾性片７下端を、上記容器体Ａの肩部２上面へ載置させた有頂カバー筒Ｃと、
上記第１係合条４に抜出し不能に嵌合させた第２係合条８を筒部内面に有し、該筒部上端から内方へ突設した内方張出し筒部内端10を、上記カバー筒Ｃの下端面外面へ当接させた封止筒Ｄとを有する。
【０００５】
【発明の実施の形態】
以下、本発明に係るバージンシール付き容器の実施形態を図面を参照しながら説明する。図１は本発明に係るバージンシール付き容器の半断面図、図２は要部を示す略示半断面図、図３はカバー筒の取外し後の状態を示す略示正面図である。
本発明に係るバージンシール付き容器は、容器体Ａと、キャップＢと、有頂カバー筒Ｃと、封止筒Ｄとを主たる構成要素とする。以下、これらについて順次説明する。
【０００６】
図１及び図２においてＡは容器体で、胴部１上端から肩部２を介して小径部３を起立すると共に、肩部２を含む胴部上端外面に凹部と凸部とを上下に連続する第１係合条４を周設している。第１係合条４は本実施形態では上下に連続する凸部と凹部とから形成しているが、これに限らず凹部のみ又は凸部のみから形成することも可能である。
【０００７】
５は絞り筒で、容器体小径部３内面へ嵌合させた嵌合筒部５ａ上端から内向きフランジを介して先細のテーパ筒を起立させると共に、該嵌合筒部５ａ上端から外向きフランジを突設してこれを小径部３上面に係合させ、さらにテーパ筒５ｂ上面に液体滴下用の滴下孔５ｃを形成させている。これら小径部３と絞り筒５とは口頸部６を形成する。
【０００８】
Ｂは上面閉塞のキャップで、テーパ筒5bの外周面との間に間隙を有して小径部３外面  へ螺合自在でかつ頂壁下面に滴下孔5cを閉塞自在な突起を有している。
なお、上記では口頸部６を小径部３と絞り筒５とによって形成しているが、これに限らず絞り筒５を省略し小径部３のみによって口頸部６を形成してもよい。
【０００９】
Ｃは弾性変形自在な材質からなる上面閉塞の有頂カバー筒で、キャップＢの外観形状に倣ってキャップ状に形成され、かつキャップＢ外周面との間に隙間を有して該キャップＢを覆合して周壁下端から下外方へ複数の弾性片７を拡開突設し、さらに該弾性片７下端を、容器体の肩部２上面へ載置させている。
【００１０】
Ｄは封止筒で、第１係合条４に抜出し不能に嵌合させた第２係合条８を筒部の下部内面に有し、かつ胴部１上端外面との間に間隙９をおいて該筒部上端から内方へ突設した内方張出し筒部内端１０を、カバー筒Ｃの下端外面、好ましくは弾性片７の基部へ当接させている。
この場合の内方張出し筒部内端１０とキャップＢ外周面との間の間隙は、カバー筒Ｃの厚さよりも大で、かつ弾性片７の傾斜方向の長さの略余弦値よりも小に設定する。
【００１１】
次に本実施形態の作用について説明する。
絞り筒５及びキャップＢを容器体に取り付けた後、カバー筒ＣをキャップＢ外面へ挿入させて弾性片７下端を肩部２上面へ載置させ、次いで封止筒Ｄをカバー筒Ｃの外面へ挿通させて第２係合条８を第１係合条４に嵌合させると共に、内方張出し筒部内端１０を弾性片７の基部に当接させることにより容器にバージンシール機能を付与する。
【００１２】
開蓋するには、カバー筒Ｃを容器上方に持ち上げればよく、すると弾性片７は内方張出し筒部内端１０に当接しつつ内方に弾性変形し該内端１０とキャップ外周面との間隙を通って封止筒Ｄの外部に抜け出る。抜け出ると、弾性片７は図３に示すように外方に拡開する。このため、カバー筒Ｃをいったん容器から取り外した後、再度弾性片７を内方張出し筒部内端１０とキャップＢ外周面との間の間隙に挿入しようとしても不可能であり、したがってバージンシール機能が損なわれることがない。
【００１３】
【発明の効果】
請求項１記載の発明は、カバー筒周壁下端から下外方へ拡開突設した複数の弾性片下端を容器体の肩部上面へ載置し、封止筒の内方張出し筒部内端をカバー筒下端外面に当接させたので、カバー筒を容器体上方に持ち上げて弾性片をいったん封止筒から抜き出すと弾性片は外方に拡開するため、弾性片を再度キャップ外周面と内方張出し筒部内端との間の間隙に挿入しようとしても不可能であり、したがってバージンシールの機能が損なわれることがない。
【００１４】
また、キャップを有する既存の容器体にキャップ状のカバー筒を装着し、該カバー筒下端を封止筒で閉鎖するだけであるから、構造が簡素であり、コスト削減を図ることができる。
さらに、カバー筒はキャップを覆合し、かつカバー筒下端は封止筒によって閉鎖されているから、他物と接触等しても容易に破損することがない。
【図面の簡単な説明】
【図１】本発明に係るバージンシール付き容器の半断面図である。
【図２】同じく、要部を示す略示半断面図である。
【図３】同じく、カバー筒抜き出し後の状態を示す略示正面図である。
【符号の説明】
１  胴部
２  肩部
４  第１係合条
６  口頸部
７  弾性片
８  第２係合条
１０  内方張出し筒部内端
Ａ  容器体
Ｂ  キャップ
Ｃ  カバー筒
Ｄ  封止筒
【図１】
0003667482.tif 000002
【図２】
0003667482.tif 000003
【図３】
0003667482.tif 000004